(57)【要約】      （修正有）【課題】お湯張り操作の簡略化を図り、使い勝手の向上が出来る風呂給湯機を提供する。【解決手段】浴室リモコンからお湯はりスイッチを押すと、浴室リモコンであることを検知し、運転スイッチ「ＯＮ」になっていなくても自動的に運転スイッチ「ＯＮ」となると共にお湯はりスイッチ「ＯＮ」となり、お湯はり動作を開始する手段を設けたものである。【選択図】図３
2007003053.tif 000002
【特許請求の範囲】
【請求項１】
熱交換器と、前記熱交換器を加熱する加熱手段と、前記熱交換器出口の給湯回路から分岐して浴槽に連結された風呂回路と、前記風呂回路の開閉を行う開閉手段と、浴槽へのお湯張り水量または水位を計測する水量計測手段または水位計測手段と、前記風呂回路を経由して浴槽へのお湯はりを行う制御手段と、機器の運転を指示する運転スイッチおよび浴槽へお湯張りを指示するお湯張りスイッチと、給湯湯温の設定を行う上昇スイッチおよび下降スイッチと、浴槽へ足し湯を行う足し湯スイッチ等を有する複数のリモコンを設置できる風呂給湯機において、前記複数のリモコンには予め定めたスイッチ操作の認識機能を持たせ、浴室に設置する浴室リモコンのお湯張りスイッチを「入」にすると運転スイッチを「入」にすることなく自動的に運転スイッチ「入」およびお湯張りスイッチ「入」となり、浴槽へのお湯張り動作を開始させる操作手段を設けたことを特徴とした風呂給湯機。
【請求項２】
浴室リモコンのお湯張りスイッチ操作時に運転スイッチ「切」状態から操作された場合、一定時間内ではお湯張りスイッチを再度操作すると運転スイッチ「切」状態となる請求項１記載の風呂給湯機。
【請求項３】
浴槽の栓を忘れた場合など浴槽の水位が上昇しない場合は自動的にお湯張りスイッチを「切」とし、報知手段および表示手段で知らせるものとした請求項１記載の風呂給湯機。
【請求項４】
リモコンにロックを設けることにより操作を制限できるものとした請求項１記載の風呂給湯機。
【発明の詳細な説明】
【技術分野】
【０００１】
本発明は、浴槽の自動お湯はりを行う機能を備えた風呂給湯機に関するものである。
【背景技術】
【０００２】
従来から、浴槽に自動お湯はりをする機能を有する給湯機として図１および図２に示すように浴室リモコン２２にお湯はりスイッチ２３と湯量（または水位）設定スイッチ２４ａ、２４ｂと足し湯スイッチ２５が設けられており、図６のフローチャートに示すように運転スイッチ２７を操作して「入」（以下ＯＮ）にし、次にお湯はりスイッチ２３を操作して（ＯＮ）にすると水量（または水位）計測手段８（または８’）で給湯回路４から分岐して浴槽７に連結された風呂回路６から浴槽７に供給した湯量または浴槽の水位を計測してリモコン２２に設けられた湯量（または水位）設定スイッチ２４ａ、２４ｂで設定した湯量が供給されると自動的にお湯はりを停止する機能と浴槽７の水位が低下した時に足し湯スイッチ２５を操作（ＯＮ）すると一定量の湯量を足し湯して停止する機能を備えているものが知られている（例えば、特許文献１参照）。
【０００３】
また、使用されるリモコンは浴室に設置される浴室リモコン２２と、台所等に設置される台所リモコン４０の二つが設置される場合が多く、さらにシャワールーム等に追加される場合もある。
【特許文献１】特開平５−２３１７０９号公報
【発明の開示】
【発明が解決しようとする課題】
【０００４】
しかしながら、上記の従来の技術では図６のフローチャートに示すように、自動お湯はりする場合には運転スイッチ２７を（ＯＮ）にし、その後お湯はりスイッチ２３を（ＯＮ）にするものであった。浴室リモコン２２の操作で明らかに浴槽の栓がされており、お湯はりスイッチ２３を操作するだけで済む場合は操作が煩雑という課題があった。
【０００５】
本発明は上記課題を解決するもので、浴槽へのお湯はりをする時に浴室リモコン２２の場合は操作を一つ省略できるよう操作性の改善を図ったものである。
【課題を解決するための手段】
【０００６】
本発明は上記目的を達成するために、リモコンには予め定めたスイッチ操作の認識機能を持たせ、お湯はりスイッチ２３を押すと操作したリモコンが浴室リモコン２２の場合は運転スイッチ２７を（ＯＮ）にすることなく自動的に運転スイッチ２７が（ＯＮ）になり、次にお湯はりスイッチ２３も（ＯＮ）となり、お湯はり動作を開始するものである。
【０００７】
上記発明によれば、お湯張り動作を行うとき、運転スイッチの入切に関係なくお湯張りスイッチを操作するだけで自動的にお湯張り動作を開始するため、スイッチ操作の簡略化を図ることができ、使い勝手の向上が図れる。
【発明の効果】
【０００８】
本発明の風呂給湯機によれば、お湯張り動作を行うとき、運転スイッチの入切に関係なくお湯張りスイッチを操作するだけで自動的にお湯張り動作を開始するため、スイッチ操作の簡略化を図ることができ、使い勝手の向上が図れる。
【発明を実施するための最良の形態】
【０００９】
第１の発明は、熱交換器と、前記熱交換器を加熱する加熱手段と、前記熱交換器の出口
給湯回路を分岐して浴槽に連結された風呂回路と、前記風呂回路の開閉を行う開閉手段と、浴槽へのお湯はり水量または水位を計測する水位計測手段と、前記風呂回路を経由して浴槽へのお湯はりを行う制御手段と、機器の運転を指示する運転スイッチおよび浴槽へお湯はりするお湯はりスイッチと、給湯湯温の設定を行う上昇スイッチおよび下降スイッチと、浴槽へ足し湯を行う足し湯スイッチ等を有する複数のリモコンを設置できるふろ給湯機において、前記複数のリモコンには予め定めたスイッチ操作の認識機能を持たせ、浴室に設置する浴室リモコンのお湯張りスイッチを「入」にすると運転スイッチを「入」にすることなく自動的に運転スイッチ「入」およびお湯張りスイッチ「入」となり、浴槽へのお湯張り動作を開始させる操作手段を設けたことを特徴としたものである。
【００１０】
そして、お湯張り動作を行うとき、運転スイッチの入切に関係なくお湯張りスイッチを操作するだけで自動的にお湯張り動作を開始するため、スイッチ操作の簡略化を図ることができ、使い勝手の向上が図れる。
【００１１】
第２の発明は、浴室リモコンのお湯張りスイッチ操作時に運転スイッチ「切」状態から操作された場合、一定時間内ではお湯張りスイッチを再度操作すると運転スイッチ「切」状態となることを特徴としたものである。
【００１２】
そして、浴室リモコンによりお湯張り操作を誤って行った場合一定時間内であればお湯張りスイッチを再度操作することにより、お湯張り動作を停止させるとともに、運転スイッチを「切」（以下「ＯＦＦ」）状態に戻すようにしたもので、お湯張り操作停止時の運転スイッチの切り忘れを防止することができる。
【００１３】
第３の発明は、浴槽の栓を忘れた場合など浴槽の水位が上昇しない場合は自動的にお湯張りスイッチを「切」とし、報知手段および表示手段で報知することを特徴とするものである。
【００１４】
そして、お湯張り操作によりお湯はり動作に入った場合に万が一風呂の栓がされていなかった場合は、水位スイッチで検出を行い一定時間の経過の後水位が上昇しない場合は自動的にお湯はりを停止させると共に報知手段および表示手段により異常であることを知らせるようにしたもので、お湯張り動作が正常に行われているかどうかを自動的に確認することができ、使い勝手の向上が図れるものである。
【００１５】
第４の発明は、リモコンにロックを設けることにより操作を制限できるものとしたことを特徴とするものである。
【００１６】
そして、お湯はりスイッチ（ＯＮ）動作で運転スイッチが自動的に（ＯＮ）になり、自動的にお湯はり動作を行う機能を制限できるロック機能を付加したもので、誤操作や不意にスイッチが操作された場合のお湯張り動作を回避することができ、安全性の確保に寄与することができる。
【００１７】
以下、本発明の一実施例について図面を参照して説明する。なお、本実施例により本発明が限定されるものではない。
【実施例】
【００１８】
（実施例１）
図１は本発明の実施例１における風呂給湯機の概略構成図、図２は同風呂給湯機のリモコンの外観図、図３は同風呂給湯機の動作を示すフローチャートである。
【００１９】
図１において、１は熱交換器、２は熱交換器１を加熱する加熱手段を備えている。熱交
換器１には水を供給する給水回路３と湯を出湯する出湯回路４が接続されている。給水回路３には入水温検知センサ９と湯量を計測する水量（または風呂回路６に接続される水位）計測手段８（または８’）が設けられている。
【００２０】
出湯回路４には熱交換器温度センサ１０、水量制御弁１２、出湯温度センサ１３を介して外部配管を通り、蛇口などの外部給湯栓に接続する給湯回路５と、注湯弁１４を介して風呂回路６に接続される２系統の給湯回路を通って機外へ供給される。
【００２１】
水量制御弁１２には給水回路３から分岐されたバイパス制御弁１１が接続されている。
【００２２】
さらに、給水回路３と給湯回路５の間に風呂回路６への供給中に、給湯栓を使用したときに優先させる他栓スイッチ１５と開閉弁１６が設けられている。
【００２３】
また燃料（ガスなどは）燃料入口より元電磁弁１７、発熱量を制御する比例弁１８、燃焼量を切替える切替弁１９を経て流れ、加熱手段２で燃焼して発熱する。
【００２４】
燃焼に必用な空気は空気を供給する燃焼ファン２０によって供給される。
【００２５】
制御手段２１は給湯機全体の制御を司るもので、図示しない理論演算回路を構成するＣＰＵ、ＲＡＭ、ＲＯＭと各種センサや制御装置からの入力信号受付ける入力インターフェイスと各種のアクチュエータに駆動信号を出力する出力インターフェイス等で構成されている。
【００２６】
図２に示すリモコン２２は、制御手段２１との間で信号を授受して給湯機を作動させる遠隔操作装置であって、運転スイッチ２７、お湯はりスイッチ２３、足し湯スイッチ２５、お湯はり湯量設定スイッチ２４、通常は出湯温度設定スイッチである上昇スイッチ２８ａおよび下降スイッチ２８ｂ、足し湯湯量設定スイッチ２６、お湯はり温度設定スイッチ２９と表示器３０を備える。
【００２７】
通常風呂回路６に湯を供給する場合はリモコン２２の運転スイッチ２７を（ＯＮ）にし、お湯はり湯温設定スイッチ２９を（ＯＮ）し、上昇スイッチ２８ａまたは下降スイッチ２８ｂでお湯はり湯温設定設定を行った後に決定スイッチ３２で確定させる。またお湯はり湯量はお湯はり湯量スイッチ２４を（ＯＮ）し、上昇スイッチ２８ａまたは下降スイッチ２８ｂでお湯はり湯量設定を行った後に決定スイッチ３２で確定させる。前記設定操作後お湯はりスイッチ２３を（ＯＮ）すると注湯弁１４が開かれ風呂回路６へお湯が供給され、水位計測手段８からの信号を制御手段２１に送り、設定された湯量に達すると注湯弁１４が閉じてお湯はりを停止する。また、上記のお湯はり温度設定およびお湯はり湯量設定を行った場合その値は次の設定値の変更が行われるまでは記憶される構成となっている。
【００２８】
同様に足し湯を供給する場合はリモコン２２の運転スイッチ２７を（ＯＮ）にし、足し湯湯量設定スイッチ２６を（ＯＮ）し、上昇スイッチ２８ａまたは下降スイッチ２８ｂで足し湯湯量設定を行った後に決定スイッチ３２で確定させる。前記設定操作後足し湯スイッチ２５を（ＯＮ））すると注湯弁１４が開かれ風呂回路６へお湯が供給され、水量計測手段８からの信号を制御手段２１に送り、設定された湯量に達すると注湯弁１４が閉じて足し湯を停止する。また、上記の足し湯湯量設定を行った場合その値は次の設定値の変更が行われるまでは記憶される構成となっている。
【００２９】
浴槽７に栓がされていて、明らかに、お湯はりスイッチ２３を（ＯＮ）すればよい状態にあるにも拘らず、運転スイッチが（ＯＮ）になっていないとお湯はりスイッチ２３を（
ＯＮ）できないため不便さを感じることがある。
【００３０】
発明はリモコンに認識機能を付加し、浴室リモコンであることを認識した場合は、お湯はりスイッチ２３を（ＯＮ）するだけで自動的に運転スイッチが（ＯＮ）状態になり、お湯はりスイッチが（ＯＮ）になり、お湯はりを開始するので操作性を向上することができる。
【００３１】
また、他のリモコンを操作した場合は運転スイッチが（ＯＮ）になっていないとお湯はりスイッチが（ＯＮ）にならないようにし、誤ってお湯はりスイッチに触れてしまった場合や、浴槽の栓がされていない場合が考えられるため、操作したことが意識できることにより、エネルギーの無駄を防ぐと共に安全性を確保することができる。
【００３２】
（実施例２）
実施例２は、お湯はりスイッチ２３を操作し、自動的に運転スイッチ（ＯＮ）になり、お湯はりスイッチが（ＯＮ）になるようにしているが、誤ってお湯はりスイッチ２３を押してしまった場合、一定時間内（例えば１５秒間）ならばもう一度お湯はりスイッチ２３を押すことによりお湯はり動作を停止すると共に運転スイッチ２７を自動的に「ＯＦＦ」にするようにしたものである。
【００３３】
誤ってお湯はりスイッチに触れてしまった場合運転スイッチ２７を「ＯＦＦ」せずに同じスイッチを押すことにより解除できるものとし操作性を向上できる。
【００３４】
もちろん、運転スイッチを「ＯＦＦ」することによっても可能であることはいうまでもない。
【００３５】
（実施例３）
実施例３は、図６のフローチャートに示すように、お湯張り指示の操作によりお湯はり動作に入り、一定時間経過しても水位が検出されない場合は自動的に、お湯はりスイッチを「ＯＦＦ」にし、表示部への表示およびブザーまたは音声により報知する報知手段を設けたものである。うっかりお風呂の栓を忘れたり、栓が傾いているなど不完全な栓の仕方をしてしまった時に、自動的にお湯はりを停止すると共に表示および報知手段により知らしめるため、エネルギーの無駄を防ぐと共に安全性を確保することができる。
【００３６】
（実施例４）
実施例４は、図２に示す浴室リモコン２２の３５に示す二つの操作スイッチを同時に２秒程度押すことによりロックを掛け、リモコンのスイッチ操作の認識機能を一時的に操作不能にするものであり、もう一度３５に示す二つのスイッチを２秒程度押すことによりロックを解除できるものである。
【００３７】
通常お湯張りスイッチの操作だけでお湯張り動作を行うことができるが、子供等誤って操作する恐れがあるときは前記操作を実施できるため、安全性とエネルギーの無駄を防止することができる。
【産業上の利用可能性】
【００３８】
以上のように、本発明にかかる風呂給湯機は、浴室リモコン２２でお湯はり操作を行う場合に操作を一つ省略できるので、浴槽の自動お湯はりを行う風呂給湯機として有用である。
【図面の簡単な説明】
【００３９】
【図１】本発明の実施例１における風呂給湯機の構成図
【図２】同風呂給湯機のリモコンの外観図
【図３】同風呂給湯機の動作を示すフローチャート
【図４】本発明の実施例２における風呂給湯機の動作を示すフローチャート
【図５】本発明の実施例３における風呂給湯機の動作を示すフローチャート
【図６】従来の実施例のフローチャート
【符号の説明】
【００４０】
１  熱交換器
２  加熱手段
４  出湯回路
６  風呂回路
８  水量計測手段
８’  水位計測手段
１４  注湯弁（開閉弁）
２１  制御手段
２２  浴室リモコン
２３  お湯はりスイッチ
２４  お湯はり湯量設定スイッチ
３０  表示器
４０  台所リモコン
【図３】
2007003053.tif 000003
【図４】
2007003053.tif 000004
【図５】
2007003053.tif 000005
【図６】
2007003053.tif 000006
【図１】
2007003053.tif 000007
【図２】
2007003053.tif 000008